(57)【要約】【課題】本発明は、高い放熱効率を有し、且つ組立て易い照明装置を提供することを目的とする。【解決手段】本発明に係る照明装置は、複数の貫通孔が設置されている第一ハウジングと、前記第一ハウジングと共に中空のキャビティを形成する第二ハウジングと、前記中空のキャビティ内に設置される放熱装置と、前記中空のキャビティ内に位置し、且つ前記第二ハウジングに対向して設置される光源と、前記第一ハウジング及び前記第二ハウジングの両端に被せられて、且つ外部素子に接続する２つの接続部と、を備える。【選択図】図２
2011009209.tif 000002
【特許請求の範囲】
【請求項１】
複数の貫通孔が設置されている第一ハウジングと、
前記第一ハウジングと共に中空のキャビティを形成する第二ハウジングと、
前記中空のキャビティ内に設置される放熱装置と、
前記中空のキャビティ内に位置し、且つ前記第二ハウジングに対向して設置される光源と、
前記第一ハウジング及び前記第二ハウジングの両端に被せられて、且つ外部素子に接続する２つの接続部と、
を備えることを特徴とする照明装置。
【請求項２】
前記放熱装置は、支持板及び前記支持板に設置される複数の放熱シートユニットを備え、各々の放熱シートユニットは、互いに平行に配列される複数の放熱シートを備えることを特徴とする請求項１に記載の照明装置。
【請求項３】
前記支持板は平板状であって、前記光源は、前記支持板の前記放熱シートユニットから背離する片側に設置される複数の発光ダイオードチップを備えることを特徴とする請求項２に記載の照明装置。
【請求項４】
前記支持板は、アーチ形の支持架及び前記支持架の両側に連接する連接板を備えるアーチ状であって、前記複数の放熱シートユニットは、前記支持架に設置され、前記光源は、基板及び前記基板に設置される複数の発光ダイオードを備え、前記基板は、前記連接板に当接することを特徴とする請求項２に記載の照明装置。
【請求項５】
前記複数の貫通孔は、前記第一ハウジングの頂部及び前記第一ハウジングと前記第二ハウジングとの接触部に位置することを特徴とする請求項１に記載の照明装置。
【発明の詳細な説明】
【技術分野】
【０００１】
本発明は、照明装置に関するものであって、特に発光ダイオード照明装置に関するものである。
【背景技術】
【０００２】
半導体発光素子を採用して製作された発光ダイオード（Ｌｉｇｈｔ  Ｅｍｉｔｔｉｎｇ  Ｄｉｏｄｅ，ＬＥＤ）は、高輝度、低消費電力、長寿命である等の利点を有することから、冷陰極蛍光ランプ（Ｃｏｌｄ  Ｃａｔｈｏｄｅ  Ｆｌｕｏｒｅｓｃｅｎｔ  Ｌａｍｐ，ＣＣＦＬ）に代わって照明装置の光源として広く応用される。
【０００３】
発光ダイオードは長時間、作動すると、生じる熱量が多くなって、その寿命が短縮される。このような問題を避けるために、発光ダイオードに放熱ファン、ヒートパイプなどのような放熱素子を提供する。従来の照明装置において、各々の素子の間の相対位置関係の設計及びその材料の導熱性能は理想的ではないため、発光ダイオードが作動する時に生じる熱量を即時に放熱することができなく、従って照明装置の正常作動に影響する。
【０００４】
従来の発光ダイオードランプは、縦長い中空管状であって、発光ダイオードは中空管内に設置される。前記中空管の放熱面積は小さく、且つ安全性を高めるために、前記中空管は一般的にプラスチック、ガラスなどの材料からなるため、その導熱性能が悪い。このため、発光ダイオードが作動する時に生じる熱量は、前記中空管によって短時間で外界空気に放熱することができなく、発光ダイオードの正常作動に影響する。なお、前記発光ダイオードランプは密封の中空管であるため、その内部素子を組立、補修し難い。
【発明の概要】
【発明が解決しようとする課題】
【０００５】
本発明の目的は、前記課題を解決し、高い放熱効率を有し、且つ組立て易い照明装置を提供することにある。
【課題を解決するための手段】
【０００６】
本発明に係る照明装置は、複数の貫通孔が設置されている第一ハウジングと、前記第一ハウジングと共に中空のキャビティを形成する第二ハウジングと、前記中空のキャビティ内に設置される放熱装置と、前記中空のキャビティ内に位置し、且つ前記第二ハウジングに対向して設置される光源と、前記第一ハウジング及び前記第二ハウジングの両端に被せられて、且つ外部素子に接続する２つの接続部と、を備える。
【発明の効果】
【０００７】
本発明の照明装置において、光源が作動する時に生じる熱量は、放熱装置に即時に伝送され、且つ第一ハウジングには複数の貫通孔が設置されるため、前記熱量を外界空気に伝送することができ、前記複数の貫通孔は空気対流通路を形成するため、前記照明装置の放熱効率をさらに高める。なお、本発明の照明装置は、第一ハウジング及び第二ハウジングを備えるため、前記照明装置を組立、補修し易い。
【図面の簡単な説明】
【０００８】
【図１】本発明の第一実施形態に係る照明装置の立体組立図である。
【図２】図１に示す照明装置の立体分解図である。
【図３】図１に示す照明装置のIII-III線に沿う断面図である。
【図４】本発明の第二実施形態に係る照明装置の立体組立図である。
【図５】図４に示す照明装置の立体分解図である。
【図６】図４に示す照明装置のVI-VI線に沿う断面図である。
【発明を実施するための形態】
【０００９】
以下、図面を参照して、本発明の実施形態について説明する。
【００１０】
図１〜図３を参照すると、本発明の第一実施形態に係る照明装置１０は、第一ハウジング１１、第二ハウジング１２、放熱装置１３、光源１４及び２つの接続部１５を備える。
【００１１】
前記第一ハウジング１１は、対称軸Ｏ１Ｏ２を有する中空の半円柱状である。前記第一ハウジング１１には、複数の貫通孔１１１及び複数のスロット１１２が設置されている。前記複数の貫通孔１１１は、前記第一ハウジング１１の対称軸Ｏ１Ｏ２に沿って設置されており、前記複数のスロット１１２は、前記第一ハウジング１１の両側に対称設置される。前記貫通孔１１１及び前記スロット１１２は、円形、矩形、多辺形などとすることができる。本実施形態において、前記貫通孔１１１及び前記スロット１１２は、全て矩形である。他の実施形態において、前記複数の貫通孔１１１及び前記複数のスロット１１２は、前記第一ハウジング１１の他の位置に設置することもできる。前記第一ハウジング１１は、金属のような高い導熱性能を有する材料からなる。
【００１２】
前記第二ハウジング１２も中空の半円柱状であり、前記第一ハウジング１１及び前記第二ハウジング１２を組合せて、中空キャビティ１２１を有する中空円柱体を構成する。前記第一ハウジング１１の両側の複数のスロット１１２と前記第二ハウジング１２の辺縁が共同して複数の貫通孔を形成する。前記第二ハウジング１２は、ガラスなどのような導光材料からなる。
【００１３】
前記放熱装置１３は、前記中空キャビティ１２１内に設置されており、支持板１３１及び該支持板１３１の長手方向に沿って互いに離間して設置される複数の放熱シートユニット１３２を備える。前記支持板１３１は、アーチ状であり、アーチ形の支持架１３１１及び別々に前記支持架１３１１の両側に連接する２つの連接板１３１２を備える。前記支持架１３１１の凸曲面は、前記第一ハウジング１１に対面する。前記複数の放熱シートユニット１３２は、前記支持架１３１１の凸曲面に設置される。各々の放熱シートユニット１３２は、互いに平行に配列される複数の放熱シート１３２１を備える。前記支持板１３１は、高導熱材料からなる。前記２つの連接板１３１２は、互いに接続することもできる。
【００１４】
前記光源１４は、前記中空キャビティ１２１内に設置されており、基板１４１及び該基板１４１の長手方向に沿って互いに離間して設置される複数の発光ダイオード１４２を備える。前記基板１４１の両側は、前記２つの連接板１３１２に当接する。前記複数の発光ダイオード１４２は、前記第二ハウジング１２に対向して設置され、前記複数の発光ダイオード１４２からの光線は、前記第二ハウジング１２から射出する。
【００１５】
前記２つの接続部１５は、前記第一ハウジング１１及び前記第二ハウジング１２からなる中空円柱体の両端に被せられる。前記２つの接続部１５は、前記照明装置１０を外部素子に固定するか、又は外部電源に電気接続することに用いられる。
【００１６】
前記照明装置１０の内部には、電源１６が設置される。前記電源１６は、前記基板１４１の前記複数の発光ダイオード１４２から背離する片側に設置され、且つ前記２つの連接板１３１２の間に位置する。前記電源１６は、前記複数の発光ダイオード１４２に電気接続して、前記複数の発光ダイオード１４２に電気を供給することに用いられる。前記電源１６を他の位置に設置することもでき、前記複数の発光ダイオード１４２に電気接続さえすればよい。
【００１７】
前記複数の発光ダイオード１４２からの光線は、前記第二ハウジング１２から射出する。前記複数の発光ダイオード１４２が作動する時に生じる熱量は、前記放熱装置１３に伝送され、且つ前記第一ハウジング１１によって外界空気に伝送される。なお、前記第一ハウジング１１に設置されている複数の貫通孔１１１及び複数のスロット１１２の間には、自然対流通路が形成され、空気を効果的に自然対流させ、前記複数の発光ダイオード１４２が作動する時に生じる熱量を外界に伝送して、放熱効率を高める。  
【００１８】
前記光源１４及び前記放熱装置１３は、前記第一ハウジング１１及び前記第二ハウジング１２からなる中空円柱体の内部に設置される。従来の発光ダイオードランプが密封された中空管に比べて、前記照明装置１０の構造は、その内部素子を組立、補修し易い。  
【００１９】
図４〜図６を参照すると、本発明の第二実施形態に係る照明装置２０は、第一ハウジング２１、第二ハウジング２２、放熱装置２３、光源２４及び２つの接続部２５を備える。
【００２０】
前記第一実施形態に係る照明装置１０と比べて、本実施形態に係る照明装置２０の放熱装置２３は、平板状の支持板２３１を備え、前記第一ハウジング２１及び前記第二ハウジング２２によって前記支持板２３１の端部を挟み、前記支持板２３１を前記第一ハウジング２１及び前記第二ハウジング２２からなる中空キャビティ２２１内に固定させる。前記光源２４は、前記支持板２３１に設置される複数の発光ダイオードチップを備える。前記第二ハウジング２２の前記光源２４に対面する表面には、導光フィルム２２２が設置されている。
【００２１】
具体的に説明すると、前記放熱装置２３は、平板状の支持板２３１及び該支持板２３１上に配列される複数の放熱シートユニット２３２を備える。前記第一ハウジング２１及び前記第二ハウジング２２によって、前記支持板２３１の両側を挟持固定するため、前記支持板２３１の両側は外界空気に暴露される。各々の放熱シートユニット２３２は、互いに平行に配列される複数の放熱シート２３２１を備え、且つ複数の放熱シート２３２１の高さは、中間から両側に至るにつれてだんだん小さくなり、空気対流を強める。
【００２２】
前記複数の発光ダイオードチップは、実装樹脂によって前記支持板２３１に固定され、且つ互いに電気接続し、前記接続部２５によって外部電源に電気接続する。他の実施形態において、前記照明装置２０の内部に電源を設置して、前記複数の発光ダイオードチップに電気を供給することができる。
【００２３】
前記照明装置２０の光源２４は、前記放熱装置２３の支持板２３１上に直接に設置されるため、前記光源２４が作動する時に生じる熱量を前記支持板２３１及び前記複数の放熱シートユニット２３２に速く伝送することができ、一部分の熱量は、前記支持板２３１の両側によって外界空気に伝送され、他の大部分の熱量は、前記第一ハウジング２１の複数の貫通孔２１１及び複数のスロット２１２の間に形成された自然対流通路によって外界空気に伝送される。前記照明装置２０が作動する時に生じる熱量は、外界空気に即時に放熱することができ、前記照明装置２０は優れた放熱性能を有する。
【００２４】
前記光源２４は、発光ダイオードチップであって、既に実装された発光ダイオードに比べて光損失を減少でき、且つ前記導光フィルム２２２は、射出光線を均一にするため、前記照明装置２０は、優れた光利用率及び出光の均一度を有する。
【００２５】
前記導光フィルム２２２は、前記第二ハウジング２２の出光面に設置されてもよい。さらに前記第二ハウジング２２に拡散フィルム、偏光フィルムなどのような他の光学フィルムを設置することにより、前記光源２４の出光効果を改変することができる。
【００２６】
前記放熱装置２３は第一実施形態の中空キャビティ１２１内に設置することができ、第一実施形態に係る照明装置１０における放熱装置１３の支持板１３１を前記第一ハウジング１１と前記第二ハウジング１２との間に挟むこともできる。
【００２７】
他の実施形態において、発光ダイオード又は発光ダイオードチップの数量及び配列順序、第一ハウジング上の貫通孔及びスロットの数量、配列順序は変えることができる。
【００２８】
以上、本発明を実施例に基づいて具体的に説明したが、本発明は、上述の実施例に限定されるものではなく、その要旨を逸脱しない範囲において、種々の変更が可能であることは勿論であって、本発明の保護範囲は、以下の特許請求の範囲から決まる。
【符号の説明】
【００２９】
１０，２０  照明装置
１１，２１  第一ハウジング
１２，２２  第二ハウジング
１３，２３  放熱装置
１４，２４  光源
１５．２５  接続部
１１１，２１１  貫通孔
１１２，２１２  スロット
１２１，２２１  中空キャビティ
１３１，２３１  支持板
１３２，２３２  放熱シートユニット
１４１  基板
１４２  発光ダイオード
２２２  導光フィルム
１３１１  支持架
１３１２  連接板
１３２１，２３２１  放熱シート
【図１】
2011009209.tif 000003
【図２】
2011009209.tif 000004
【図３】
2011009209.tif 000005
【図４】
2011009209.tif 000006
【図５】
2011009209.tif 000007
【図６】
2011009209.tif 000008